(57)【特許請求の範囲】
【請求項１】
ハンドルと、
該ハンドル内に収容されるスイッチと、
該ハンドルの外側に配され該ハンドルよりも柔軟なハンドルカバーと、
を有する電動工具において、
該ハンドルは貫通穴を有し、該ハンドルカバーは該貫通穴から突出して該スイッチを押える突起部を有し、該突起部の外周に該ハンドルから延びる壁部を設け、該突起部は該壁部よりも突出していることを特徴とする電動工具。
【請求項２】
該突起部は円柱形状であることを特徴とする請求項１記載の電動工具。
【請求項３】
該スイッチの両側に該突起部を設けたことを特徴とする請求項１又は２のいずれかに記載の電動工具。
【発明の詳細な説明】
【０００１】
【発明の属する技術分野】
本発明は、電動工具のハンドル構造に関するものである。
【０００２】
【従来の技術】
従来の技術を図４〜７により説明する。図７は電動工具（例として携帯電気ドリルを示す）の側面図であり、ハウジング２の後端にハンドル１が配置されている。ハンドル１はネジ３によりハウジング２に固定されている。スイッチ４はハンドル１に内蔵、保持されている。モールドで形成されたハンドル１の外側の保持部周辺には、ハンドルの材質より柔軟な材質を複層成形により形成したハンドルカバー５が配置されている。図４は、従来技術による図７のＡ−Ａ断面を示す。ハンドル１は２分割構造となっている。なお、どちらか一方がハウジング２と一体となっている場合もある。
【０００３】
ハンドルカバー５も同様に２分割可能に構成されている。スイッチ４はトリガー部４ａと本体部４ｂから成り、ハンドル１にはスイッチ４の本体部４ｂを保持するためのリブ１ａと、座面１ｂが設けてある。スイッチ４の本体部４ｂとリブ１ａ、座面１ｂ間には、必ず隙間αを確保してある。これは、スイッチ４の本体部４ｂをリブ１ａ、座面１ｂで強く挟持すると、トリガー部４ａの摺動や、本体部４ｂに内蔵された電子回路に悪影響を及ぼすためである。同様にトリガー部４ａとハンドル１間には、トリガー部４ａの摺動を妨げぬよう必ず隙間βを確保してある。ここで、隙間αは極力０とするすることが望ましいが、本体部４ｂは往々にして樹脂の射出成形を組合せて構成されており、幅Ｗは±０．３ｍｍ程度の寸法公差を持つ。
【０００４】
さらに、モールドで作成されている座面１ｂ同志の幅W´も図面で指示した寸法に対して±０．３ｍｍ程度の寸法公差を持っている。そのため、座面１ｂ間の距離Ｗ´と本体部４ｂの幅Ｗとの寸法公差を考慮した最小隙間が０となるよ座面１ｂの高さを設定した場合、寸法公差を考慮した最大隙間は０．９ｍｍ生じることになる。その結果、本体部４ｂの幅Ｗ、座面１ｂ同志の幅Ｗ´の固体差により、製品における隙間βが均一にならず、さらにトリガー部４ａのＸ−Ｘ方向の遊びにばらつきが生じやすく、外観上、操作上の品質を安定させるのが難しかった。また、図５のように、トリガー部４ａが片方に寄った場合は、トリガー部４ａの摺動が悪くなるばかりでなく、操作持、隙間２βに指を挟み、作業者に不快間を与える場合があった。
【０００５】
よって、従来の技術では、各寸法の公差を厳しくするか、本体部４ｂと座面１ｂ間または、本体部４ｂとハンドル１の間に弾性体部材を挟む等、本体部４ｂ、トリガー部４ａのＸ−Ｘ方向んの遊びを抑える工夫を必要とした。
【０００６】
【発明が解決しようとする課題】
従来の技術では、作業者が常時指を掛け作業するスイッチ廻りの外観上、操作上の品質を安定させるのが難しかった。よって、各寸法の公差を厳しくしたり、スイッチ本体部と座面間に弾性体部材を挟む等、スイッチの本体部及びトリガー部の遊びを押える工夫を必要とした。
ただし、前者は生産性低下、後者は部品点数増を招き、品質確保のためにはコストアップ必死であり、顧客への提供価格が高価となる問題があった。
本発明の目的は、作業者が常時指を掛け操作するスイッチ廻りの外観上、操作上の品質確保をコストアップせずに行い、高品質かつ安価な電動工具を顧客に提供することである。
【０００７】
【課題を解決するための手段】
上記目的は、ハンドルと、該ハンドル内に収容されるスイッチと、該ハンドルの外側に配され該ハンドルよりも柔軟なハンドルカバーと、を有する電動工具において、該ハンドルは貫通穴を有し、該ハンドルカバーは該貫通穴から突出して該スイッチを押える突起部を有することにより達成される。
【０００８】
【発明の実施の形態】
本発明の実施例を図１〜図３、図７により説明する。
図７は電動工具（例として携帯電気ドリルを示す）の側面図であり、従来技術同様ハウジング２の後端にハンドル１が配置されている。ハンドル１はネジ３によりハウジング２に固定されている。スイッチ４はハンドル１に内蔵、保持されている。ハンドル１外側の保持部周辺には、ハンドルの材質より柔軟な材質を複層成形により形成したハンドルカバー５が配置されている。図１は、本発明による図７のＡ−Ａ断面を示す。
【０００９】
従来技術同様、ハンドル１は２分割構造となっている。なお、どちらか一方がハウジング２と一体となっている場合もある。ハンドルカバー５も同様に２分割可能に構成されている。スイッチ４はトリガー部４ａと本体部４ｂからなり、ハンドル１にはスイッチ４の本体部４ｂを保持するためのリブ１ａと、座面１ｂが設けてある。
【００１０】
ここで、従来技術と異なるのは、ハンドル１のスイッチ本体部４ｂ周辺に貫通孔６を設け、そこからハンドルカバー５の一部を突出させ座面５ａを有した突起部８を形成し、該座面５ａで本体部４ｂを押えている点である。ハンドルカバー５は柔軟な材質で弾性を有しており、座面５ａを有した突起部８の高さは本体部４ｂを十分に押え、かつトリガー部４ａの摺動や、本体部４ｂに内蔵された電子回路に悪影響を及ぼさぬ程度につぶし代を設けることができる。
【００１１】
これにより、本体部４ｂの幅Ｗや座面１ｂ間の距離Ｗ´がばらついても突起部８の座面５ａにより本体部４ｂを確実に挟持することができる。突起部８の座面５ａによる挟持力は、ハンドルカバー５の硬度調整の他、座面５ａの面積Ｓ及び突起量ｈを工夫することにより容易に調整可能である。ここで、本実施例における突起部８の外周部には壁６ａを設けてある。
これは、突起部８の座面５ａが本体部４ｂを挟み込んだ時場合、容易に座屈しないよう工夫してある。
【００１２】
なお、貫通孔６をハンドルカバー５を複層成形する際のゲートとして路用すれば、金型寸法を変更しなくても、ゲート切断寸法を変えることで突起部８の突起量ｈを変更することができる。
【００１３】
また、ハウジング１に貫通孔６を設け、そこからハンドルカバー５の一部を突出させ無くても、ハウジング１の裏面（ハウジングのスイッチ４側）にハンドルの材質より柔軟な材質を複層成形することによっても同様な効果が得られる。
【００１４】
【発明の効果】
本発明によれば、スイッチ取付部の遊びを、生産性低下、部品点数増を伴わず排除できるため、作業者が常時指を掛け作業するスイッチ廻りの外観上、操作上の品質確保をコストアップせずに行い、高品質かつ安価な電動工具を顧客に提供することができる。
【図面の簡単な説明】
【図１】本発明の一実施例を示す部分断面図である。
【図２】本発明の一実施例を示す部分断面図である。
【図３】本発明の一実施例を示す部分断面図である。
【図４】従来技術を示す部分断面図である。
【図５】従来技術を示す部分断面図である。
【図６】従来技術を示す部分断面図である。
【図７】電動工具の例として携帯電気ドリルを示す側面図である。
【符号の説明】
１はハンドル、１ａはリブ、１ｂは座面、２はハウジング、３はネジ、４はスイッチ、４ａはトリガー部、４ｂは本体部、５はハンドルカバー、５ａは座面、６は貫通孔、６ａは壁、８は突起部である。
【図１】
0004284979.tif 000002
【図２】
0004284979.tif 000003
【図３】
0004284979.tif 000004
【図４】
0004284979.tif 000005
【図５】
0004284979.tif 000006
【図６】
0004284979.tif 000007
【図７】
0004284979.tif 000008